(57)【特許請求の範囲】
【請求項１】
底面に複数の角隅部を有する形状であって、ユニット式建物を構成する建物ユニットの底面における各角隅部とそれぞれ対応する位置にＰＣ製端部ブロックが配置され、これらの端部ブロックの上面に前記建物ユニットの高さレベルを調整するレベル部材が設けられているとともに、端部ブロック間に中間部材が配置され、
前記端部ブロックはベース盤に配置され、
前記中間部材は、フーチング部と、このフーチング部に設けられた立上部と、この立上部の両端部に設けられて前記ベース盤に載置される結合部とを有し、
前記フーチング部の厚さ寸法は、前記ベース盤の厚さ寸法よりも小さく、
前記フーチングには、コンクリート注入用の孔が形成されることを特徴とするユニット式建物の基礎。
【請求項２】
請求項１に記載のユニット式建物の基礎において、前記レベル部材は前記ＰＣ製端部ブロックに埋設されたナットに螺合されたボルトであることを特徴とするユニット式建物の基礎。
【請求項３】
請求項１または２に記載のユニット式建物の基礎において、前記中間部材は長さが異なる複数種類用意されており、これらが前記建物ユニットの水平方向長さに応じて選択的に使用されることを特徴とするユニット式建物の基礎。
【請求項４】
請求項１〜３のいずれかに記載のユニット式建物の基礎において、前記中間部材はＰＣ製中間ブロックであることを特徴とするユニット式建物の基礎。
【発明の詳細な説明】
【０００１】
【産業上の利用分野】
本発明は、ユニット式建物の基礎に関する。
【０００２】
【背景技術】
ユニット式建物の基礎は、従来一般的に現場打ちコンクリートで造られていたが、特開平４−３７１６１５号に示されているように、ユニット式建物の構成要素である少なくとも１個の建物ユニットの水平方向一辺と対応する長さを有するＰＣ（プレキャストコンクリート）製のブロックを地盤上に複数並設し、これらによってユニット式建物の基礎を形成するようにしたものが知られている。
【０００３】
【発明が解決しようとする課題】
基礎をＰＣ製ブロックとすると、ユニット式建物の建設現場での基礎施工作業量を少なくでき、工場での作業割合の増加、これによるコストダウンを図ることを目的としているユニット式建物の施工趣旨に叶うものとなるが、ＰＣ製ブロックの長さが少なくとも１個の建物ユニットの水平方向一辺と対応した長さになっていると、この寸法は大きいため、ブロックは大型で重量の重いものとなり、このため、工場から建設現場への輸送時や、建設現場での基礎施工作業時に、その取り扱いが困難になるという問題が生じる。
【０００４】
本発明の目的は、ＰＣ製ブロックを小型、軽量化でき、取り扱いが容易になるユニット式建物の基礎を提供するところにある。
【０００５】
【課題を解決するための手段】
本発明に係るユニット式建物の基礎は、底面に複数の角隅部を有する形状であって、ユニット式建物を構成する建物ユニットの底面における各角隅部とそれぞれ対応する位置にＰＣ製端部ブロックが配置され、これらの端部ブロックの上面に建物ユニットの高さレベルを調整するレベル部材が設けられているとともに、端部ブロック間に中間部材が配置され、前記端部ブロックはベース盤に配置され、前記中間部材は、フーチング部と、このフーチング部に設けられた立上部と、この立上部の両端部に設けられて前記ベース盤に載置される結合部とを有し、前記フーチング部の厚さ寸法は、前記ベース盤の厚さ寸法よりも小さく、前記フーチングには、コンクリート注入用の孔が形成されることを特徴とするものである。
【０００６】
以上において、レベル部材は例えばスペーサでもよいが、ＰＣ製端部ブロック内に埋設されたナットに螺合されたボルトであることが望ましい。
【０００７】
また、本発明では、中間部材は長さが異なる複数種類用意されており、これらが建物ユニットの水平方向長さに応じて選択的に使用されるようになっている。
【０００８】
この中間部材はＰＣ製中間ブロックであってもよく、また、例えばラチス梁状のフレームにプレート状のカバーを取り付けたものでもよく、さらにはプレートだけでもよい。
【０００９】
【作用】
本発明では、建物ユニットの各隅部と対応する位置にＰＣ製端部ブロックが配置され、端部ブロック間は中間部材で連結される構成となるため、１個１個のＰＣ製ブロックは短い長さになって小型になり、重量も軽くなるため、工場から建設現場への輸送時や建設現場での基礎施工作業時における取り扱い性が良好となる。また、中間部材がＰＣ製ブロックとなっていても、両側の端部ブロック分だけこの中間ブロックの長さは建物ユニットの水平方向一辺の長さよりも短くなるため、この中間ブロックも小型、軽量化されて取り扱いが容易になる。
【００１０】
以上に加えて、本発明では、建物ユニットの各隅部と対応する位置に配置されるＰＣ製端部ブロックの上面には、建物ユニットの高さレベルを調整するレベル部材が設けられているため、これらのレベル部材によって建物ユニットの高さレベル調整、水平調整を行なえる。
【００１１】
また、中間部材には長さが異なる複数種類のものが用意されているため、建物ユニットに水平方向長さが異なる各種タイプのものがあっても、この水平方向長さに応じた種類の中間部材を使用することにより、各種タイプの建物ユニットに対応できる。
【００１２】
【実施例】
以下に本発明の実施例を図面に基づいて説明する。
図１は、本実施例に係るユニット式建物の基礎１を示す平面図である。この基礎１は、ユニット式建物を構成する合計４個の１階建物ユニット２を載置するためのものである。基礎１は、建物ユニット２の各隅部と対応する位置に配置された４種類のＰＣ製端部ブロック３〜６と、ＰＣ製端部ブロック間に配置された中間部材である３種類のＰＣ製中間ブロック７〜９とを含んで形成されており、ＰＣ製端部ブロック３〜６はコンクリート製のベース盤１０〜１３の上に載せられている。
【００１３】
ＰＣ製端部ブロック３は、図２に示す通り、平面Ｌ字状の本体部３Ａと、本体部３Ａの両端の膨大部３Ｂ，３Ｃとからなり、膨大部３Ｂ，３Ｃには外側方に開口した溝１４が形成されている。
【００１４】
ＰＣ製端部ブロック４は、図３に示す通り、平面直線状の本体部４Ａと、本体部４Ａの両端の膨大部４Ｂ，４Ｃとからなり、膨大部４Ｂ，４Ｃには外側方に開口した溝１４が設けられている。
【００１５】
ＰＣ製端部ブロック５は、図４に示す通り、平面Ｔ字状の本体部５Ａと、本体部５Ａの合計３個の端部である膨大部５Ｂ〜５Ｄとからなり、膨大部５Ｂ〜５Ｄには外側方に開口した溝１４が形成されている。
【００１６】
ＰＣ製端部ブロック６は、図５に示す通り、端部ブロック４と同じく、平面直線状の本体部６Ａと、本体部６Ａの両端の膨大部６Ｂ，６Ｃとからなり、膨大部６Ｂ，６Ｃには外側方に開口した溝１４が形成されており、また、端部ブロック６は端部ブロック４よりも約２倍の幅寸法となっている。
【００１７】
端部ブロック３〜６と建物ユニット２との結合は、図２に示されているように、端部ブロック３〜６に埋設されたシース管１５にグラウト材を充填し、このシース管１５内に建物ユニット２の隅部下面から下方へ延びたアンカー部材１６を挿入することにより行なわれる。また、端部ブロック３〜６の上面にはナット１７に螺合されたレベル部材であるレベルボルト１８が設けられ、回転操作することにより端部ブロック３〜６の上面からの突出量が変化するレベルボルト１８上に建物ユニット２の隅部下面を載せることにより、建物ユニット２の高さレベル調整、水平調整が行なわれるようになっている。
【００１８】
図１で明らかなように、端部ブロック３は建物ユニット２の１個の隅部と対応した位置に配置され、端部ブロック４と５は２個の建物ユニット２の互いに隣接する２個の隅部と対応した位置に配置され、端部ブロック６は４個の建物ユニット２の互いに寄せ集まる４個の隅部と対応した位置に配置されるため、図２〜図５に示されているように、端部ブロック３には１個、端部ブロック４と５には２個、端部ブロック６には４個のそれぞれシース管１５とレベルボルト１８が設けられている。
【００１９】
ＰＣ製中間ブロック７は、図２に示されているように、フーチング部７Ａと、立上部７Ｂと、立上部７Ｂの両端（図７参照）に設けられた膨大部７Ｃとを有し、膨大部７Ｃはフーチング部７Ａから所定長さ分だけ突出している。膨大部７Ｃには溝１４が形成され、また、フーチング部７Ａには孔１９が設けられている。
【００２０】
ＰＣ製中間ブロック８は、フーチング部と立上部の部分の長さが中間ブロック７と異なるだけであり、他は中間ブロック７と同じである。
【００２１】
ＰＣ製中間ブロック９も、図４に示す通り、フーチング部９Ａと、立上部９Ｂと、立上部９Ｂの両端に設けられた膨大部９Ｃとを有し、膨大部９Ｃはフーチング部９Ａから所定長さ分だけ突出している。膨大部９Ｃには溝１４が設けられ、フーチング部９Ａには孔１９が形成されている。なお、中間ブロック７〜９のフーチング部の上下寸法はベース盤１０〜１３の上下寸法より小さい。
【００２２】
以上説明した端部ブロック３〜６および中間ブロック７〜９はコンクリート工場で生産され、そしてユニット式建物の建設現場に運ばれる。この建設現場での基礎１の施工作業は以下の通り行なう。布基礎である基礎１を形成する場所の根切り作業を行い、その根切り底に捨てコンクリートを打ち、あるいは根切り底を地盤改良剤で固める。次いで、建物ユニット２の各隅部と対応する位置にベース盤１０〜１３を置き、その上に所定の端部ブロック３〜６を載せる。端部ブロック間には中間ブロック７〜９を配置し、この配置作業は、中間ブロック７〜９の端部の膨大部を端部ブロック３〜６から突出しているベース盤１０〜１３の縁部上に載せて行なう。これにより、端部ブロック３〜６と中間ブロック７〜９との高さ位置が一致する。
【００２３】
次いで、中間ブロック７〜９のフーチング部に形成されている孔１９にコンクリートスラリーを注入し、これにより、フーチング部と前記捨てコンクリートとの間、またはフーチング部と地盤改良剤との間に生じていた隙間を埋める。また、図６に示す通り、互いに対向して連通状態となっている端部ブロック３〜６の溝１４と中間ブロック７〜９の溝１４とに配筋材２０を挿入するとともに、コンクリートスラリー２１を注入する。これにより端部ブロック３〜６と中間ブロック７〜９とが結合される。
【００２４】
端部ブロック３〜６の上面におけるシース管１５とレベルボルト１８が設けられた領域に図２および図６で示した枠部材２２を載せ、この枠部材２２の内側にシース管１５とレベルボルト１８を入れる。この枠部材２２はゴム等の弾性部材からなる。この後、シース管１５の内部にモルタルであるグラウト材２５を注入し、このグラウト材２５を枠部材２２の上面レベルまで入れる。
【００２５】
次いで、各建物ユニット２をクレーンで吊り上げ、アンカー部材１６をシース管１５の内部に挿入しながらこれらの建物ユニット２を端部ブロック３〜６、中間ブロック７〜９上に載せる。このようにクレーンによる建物ユニット２の吊り込み作業を行なうとき、各レベルボルト１８を回転操作して端部ブロック３〜６からの上方突出量を調整し、これらのレベルボルト１８上に建物ユニット２を載せることにより建物ユニット２の高さレベル調整や水平調整を行なう。
【００２６】
また、複数の建物ユニット２の隅部同士が隣接する箇所では、図６に示す通り、端部ブロック４〜６の上面に複数のピン２３を備えた連結板２４を予め載せておき、これらのピン２３に各隅部の孔を挿入しながら各建物ユニット２のクレーンによる吊り込み作業を行なう。これにより、互いに隣接する複数の建物ユニット２同士は所定間隔に位置決めされる。
【００２７】
以上において、図７に示す通り、中間ブロック７の長さはＬ1 であり、これに対して長さがＬ2 ，Ｌ3 となった中間ブロック２７，３７が用意されている。図１に示す通り、中間ブロック７は建物ユニット２の水平方向一辺の長さがＡであるときに使用され、この長さがＡよりも長い建物ユニットを使用してユニット式建物を建てる場合には、中間ブロック２７または３７を使用する。
中間ブロック９にも、中間ブロック７と同様に、長さが異なる複数種類のものが用意されており、この中から選択的に使用される。
【００２８】
建物ユニット２のもう一つの水平方向一辺の長さはＢであり、この方向の長さが異なる建物ユニットを使用してユニット式建物を建てるときには、中間ブロック８とは長さが異なる別の中間ブロックを使用する。
【００２９】
以上説明した本実施例によれば、ユニット式建物の基礎を形成するＰＣ製ブロックは、建物ユニット２の各隅部と対応する位置に配置される端部ブロック３〜６と、端部ブロック間に配置される中間ブロック７〜９とに分割され、これらの端部ブロック３〜６および中間ブロック７〜９は建物ユニット２の水平方向の長さよりも短いため、それぞれが小型で軽量のものとなり、この結果、工場から建設現場に運ぶとき、また、建設現場でこれらの組み合わせて基礎１を形成するとき、その取り扱いが容易になる。
【００３０】
また、建物ユニット２の各隅部と対応する位置に配置される端部ブロック３〜６の上面には、レベル部材であるレベルボルト１８が設けられているため、建物ユニット２の各隅部における建物ユニット２の高さレベル調整、水平調整を行なえることになる。さらにレベルボルト１８はナット１７に対して回転操作することにより高さの微調整を行なえるため、正確な高さレベル調整、水平調整を行なえる。
【００３１】
さらに、本実施例では、中間ブロック７〜９には長さが異なる複数種類のものが用意されているため、水平方向長さが相違する建物ユニットを使用してユニット式建物を建てる場合には、端部ブロック３〜６を共通とし、中間ブロックだけを適切な長さを有するものに交換することにより、所定の基礎を形成できるようになる。
【００３２】
図８は、別実施例に係るＰＣ製端部ブロック４３と、端部ブロック間に配置される中間部材４７とを示す。前記実施例における端部ブロック３〜６には、端部ブロック３〜６と建物ユニット２とを結合するため、グラウト材が注入され、かつ、建物ユニット２から延びたアンカー部材１６が挿入されるシース管１５を設けていたが、図８の実施例のＰＣ製端部ブロック４３には上面から上方へ突出したアンカーボルト５６が設けられ、このアンカーボルト５６によって端部ブロック４３と建物ユニットとが結合されるようになっている。
【００３３】
また、図８の中間部材４７は、上下弦材６１Ａ，６１Ｂと縦材６２Ａと斜材６２Ｂとを組み合わせたラチス梁状のフレーム６３と、プレート状のカバー６４とを含んで構成され、フレーム６３はボルト６５で端部ブロック４３に結合され、カバー６４はボルト６６でフレーム６３に取り付けられる。カバー６４は、例えばセメント板、繊維強化コンクリート板、繊維強化プラスチック板、ステンレス板等からなる。
【００３４】
本発明は、ユニット式建物の構成要素である建物ユニットが柱、梁で骨組みが形成されたものである場合にも適用でき、また、壁パネル、床パネル等の複数のパネルを組み合わせた所謂壁式ユニットである場合にも適用できる。
【００３５】
【発明の効果】
本発明によれば、基礎は建物ユニットの各隅部と対応する位置に配置されるＰＣ製端部ブロックと、端部ブロック間に配置される中間部材により形成され、ＰＣ製ブロックは建物ユニットの水平方向長さよりも短くなるため、これらのブロックの小型化およびこれによる軽量化を達成でき、このため工場から建設現場への運搬時および建設現場での基礎施工作業時における取り扱いを容易なものにできる。これに加えて各端部ブロックの上面にはレベル部材が設けられているため、建物ユニットの高さレベル調整、水平調整を行なえる。
【図面の簡単な説明】
【図１】本発明の一実施例に係る基礎を示す平面図である
【図２】図１で示された第１番目の端部ブロックおよび中間部材を示す斜視図である。
【図３】図１で示された第２番目の端部ブロックを示す斜視図である。
【図４】図１で示された第３番目の端部ブロックおよび中間部材を示す斜視図である。
【図５】図１で示された第４番目の端部ブロックを示す斜視図である。
【図６】基礎施工後を示す要部の縦断面図である。
【図７】長さが異なって複数種類用意されている各中間部材を示す平面図である。
【図８】端部ブロックと中間部材の別実施例を示す斜視図である。
【符号の説明】
１  基礎
２  建物ユニット
３〜６，４３  ＰＣ製端部ブロック
７〜９，２７，３７  中間部材であるＰＣ製中間ブロック
１０〜１３  ベース盤
１５  シース管
１６  アンカー部材
１８  レベル部材であるレベルボルト
４７  中間部材
【図１】
0003696281.tif 000002
【図２】
0003696281.tif 000003
【図３】
0003696281.tif 000004
【図４】
0003696281.tif 000005
【図５】
0003696281.tif 000006
【図６】
0003696281.tif 000007
【図７】
0003696281.tif 000008
【図８】
0003696281.tif 000009